【事件の表示】
　平成８年特許願第５２１３２号「歯科診療システム」拒絶査定不服審判事件〔平成９年９月１６日出願公開、特開平９−２３８９６２号〕について、次のとおり審決する。
【結　論】
　本件審判の請求は、成り立たない。
【理　由】
１．手続の経緯・本願発明
　本願は、平成８年３月８日の出願であって、その請求項１係る発明（以下、「本願発明」という。）は、平成１７年１２月２日付け手続補正書により補正された明細書及び図面の記載からみて、特許請求の範囲の請求項１に記載された事項により特定される次のとおりのものである。
「歯科診療に関する各種データのデータ管理を行うファイル装置と、
　歯科診療室にある撮像装置、複数のビデオモニター、咬合圧測定器、歯髄診断機等を備えた任意台数の歯科治療装置及びレントゲン室にある歯科用レントゲン装置、デジタルラジオグラフィー装置等からなる歯科治療関連機器と、
　前記ファイル装置と前記歯科治療関連機器とに各々信号ラインにより接続されるとともに、ワイヤレス受信機を備えた入出力制御回路と、
　前記ファイル装置への画像データの記憶、ファイル装置からの画像データの読み出し、読み出した画像データの静止データ変換、ビデオモニターの切り替えのための信号を複数のスイッチ操作に基づく光通信又は無線通信にて前記ワイヤレス受信機を経て入出力制御回路に送信し、入出力制御回路による複数のスイッチ操作に対応した動作を実行させる遠隔操作手段と、
　を有することを特徴とする歯科診療システム。」
　
２．引用例の記載事項
　これに対して、原査定の拒絶の理由で引用した特開平７−４６１８４号公報（以下、「引用例」という。）には、次の事項が図面とともに記載されている。
（ア）「【産業上の利用分野】本願は、歯科診療室の各所に設けられた歯科診療用のコンピューター相互間でデータ交換を行う歯科診療システムに係るものである。」（段落【０００１】）
（イ）「【発明が解決しようとする課題】ところが、これらの歯科診療に必要な各種データを、オンラインでデータ伝送用のケーブルによりホストコンピュターと歯科治療装置近傍に設けられたコンピューターやＸ線画像を取り込むコンピューター等と相互に接続するためには、予め診療室の床下にケーブルを敷設するか、或は、ケーブルを床面に這わせねばならず、前者の場合には敷設工事などが面倒であるばかりでなく、歯科治療装置などの配置替えの場合に不便であり、また後者の場合には治療の際につまずいたりして障害となるだけてなく、椅子やカートの移動の妨げとなり・・・（略）・・・」（段落【０００７】）
（ウ）「【実施例】図１は本願歯科診療システムの概念図を示し、該歯科診療システムは、歯科治療用椅子１を備えた歯科治療装置２と、大容量記録装置３を備えると共に、机４に備えた各種データを格納するホストコンピュター５と、診療室内を移動可能な歯科診療用のカートユニット６とで構成されている。」（段落【００１０】）
（エ）「前記ホストコンピュター５は、その大容量記憶装置３に患者別の治療データ、画像データ、保険データ等の歯科診療に関するデータ及び歯科治療椅子１の治療姿勢、歯科用ハンドピースの回転数や注水量、照明度合、スケーラの出力設定、シリンジのスプレー条件、コップ給水条件、照明装置の照度設定など治療作業に必要な諸条件を設定するデータなどを多く格納可能であると共に、本体上に載置したディスプレイ１１の上部には、例えば赤外光などのケーブルレス手段を介して他のコンピューターのデータ伝送装置と歯科診療データの交信可能なデータ伝送装置１２ａが設けてある。」（段落【００１２】）
（オ）「さらに前記カートユニット６には、口腔内観察用ＣＣＤカメラ２１が傾動可能なハンガー２１ａによって引出し可能に保持されてあり、この口腔内観察用ＣＣＤカメラ２１によって口腔内の映像を撮影して得られた画像データは前記ディスプレイ１８に表示されると共に、データ伝送装置１２ｂを介して前記ホストコンピュター５のデータ伝送装置１２ａに伝送される。また、カートユニット６における表示付き入力装置１９を操作することにより、ホストコンピュター５に格納してある過去の口腔内観察画像や治療データ及び治療作業に必要な諸条件を設定するデータなどの歯科診療用各種データをデータ伝送装置１２ａ，１２ｂを介してホストコンピュター５から小型コンピューター１６に読み込み、これをディスプレイ１８上に表示することもできる。」（段落【００１４】）
（カ）「・・・（略）・・・また、ホストコンピュター５に格納された過去の口腔内観察画像やカルテデータ等は、歯科診療用のカートユニット６の入力装置１９を操作することによりカートユニット６に呼び出し、これらのデータをディスプレイ１８に表示することができる。
　しかして、医師は、椅子５２に座って、患者の治療を行う際に、歯科診療用のカートユニット６を歯科治療装置２の近傍に引き寄せる。また歯科治療椅子１の治療姿勢を設定すると共に、歯科用ハンドピースの回転数、注水量、照明度合、或いはスケーラの出力、歯科用シリンジのスプレー条件、コップ給水量、さらに照明装置の照度など治療作業に必要な諸条件を設定し、これらのデータ及び口腔内観察用ＣＣＤカメラ２１を使用して口腔内の映像を撮影して得た画像データをカートユニット６のディスプレイ１８に表示しつつ診療を行うと共に、所要のデータを、図１においてデータ伝送装置１２ａ，１２ｂ相互間の赤外光を介してホストコンピュター５に伝送して大容量記憶装置３に格納する。また、スキャナー２８を操作して咬合診断フィルムを読み込んでカートユニット６のディスプレイ１８に表示しつつ診療を行うと共に、所要のデータを前記と同様赤外光によりホストコンピュター５に伝送して大容量記憶装置３に格納する。
　このようにホストコンピューター５の大容量記憶装置３に格納された多くの歯科診療用各種データは、また、カートユニット６における表示付き入力装置１９を操作することによってホストコンピュター５から引き出すことができ、その引き出された歯科診療用各種データは赤外光を介してディスプレイ１８に表示されると共に、治療作業に必要な諸条件が設定される。従って歯科治療に際し、治療椅子の治療姿勢などが自動的に設定されると共に、当該患者の過去の治療データなどをディスプレイ１８上に表示しながら治療を行うことができる。」（段落【００２２】〜【００２４】）
（キ）「図６は複数のカートユニット６，６を使用して、これらと、ホストコンピュター５との間でデータ伝送する場合の他の実施例を示し、この実施例では、各カートユニット６，６がそれぞれホストコンピュター５側の大容量記憶装置３に格納されてある歯科診療用各種データを自由に引き出したり、あるいはそのデータを追加変更してホストコンピュター５に再び格納することができるように構成してある。・・・（略）・・・」（段落【００２７】）
（ク）「図９は、上記した実施例において診療室内に、さらに歯科用レントゲン装置６８を設置し、この歯科用レントゲン装置６８のＸ線画像処理コンピューター６９とカートユニット６に搭載した小型コンピューター１６とホストコンピュター５との相互間で赤外光を使った通信手段によりデータのやりとりをする場合の本願の他の実施例を示し、前記歯科用レントゲン装置６８は、Ｘ線撮影室７０内にＸ線撮影装置７１を設置すると共に、Ｘ線撮影室７０の外側にＸ線画像処理コンピューター６９が設置してあり、Ｘ線画像処理コンピューター６９は、Ｘ線撮影装置７１によって撮影されたＸ線画像データをデジタルデータとして取り込みＸ線画像ディスプレー７２上に表示するものである。
　前記Ｘ線画像ディスプレー７２の上には、前記カートユニット６に設けたデータ伝送装置１２ｂ及び前記机４に設けた支柱９の上端部に有したデータ伝送装置１２ａと相互に伝送可能なデータ伝送装置１２ｃが設けてある。
　しかして、Ｘ線画像処理コンピューター６９で作成されたＸ線画像データは、データ伝送装置１２ｃからデータ伝送装置１２ａに赤外光を介して伝送され、ホストコンピュター５に取り込まれて、その大容量記憶装置３に記憶されると共に、そのＸ線画像ディスプレー７２上に表示される。同様にＸ線画像処理コンピューター６９で作成されたＸ線画像データは、データ伝送装置１２ｃからデータ伝送装置１２ｂに赤外光を介して伝送されて、小型コンピュター１６に取り込まれてカートユニット６のディスプレイ１８にも表示され、従って、医師は歯科治療用椅子１での治療時に患者のＸ線画像を参照することができる。」（段落【００３０】〜【００３２】）
　
　上記記載事項（エ）、（カ）を参照すれば、大容量記憶装置３は、歯科診療に関する各種データのデータ管理を行うものであることは明らかであり、上記記載事項（キ）及び図６をみれば、カートユニット６は、歯科診療室において、一台に限らず任意台数使用され得るものといえる。
　さらに、上記記載事項（エ）、（カ）をみれば、ホストコンピュター５は、大容量記憶装置３に格納された歯科診療に関する各種データの送受信を、本体上に載置したディスプレイ１１に設けられたデータ伝送装置１２ａを介して行うものであるから、ホストコンピュター５と大容量記憶装置３とは上記各種データ等に係る信号を伝達するための信号伝達手段で繋がれていること、ホストコンピュター５はデータ伝送装置１２ａを備えたものであることは、いずれも明らかといえる。
　そして、上記記載事項（ク）及び図９を参照すると、Ｘ線撮影装置７１で撮影されＸ線画像処理コンピューター６９で作成されたＸ線画像データは、データ伝送装置１２ｃからデータ伝送装置１２ａに赤外光を介して伝送されてホストコンピュター５に取り込まれるのであるから、該ホストコンピュター５は、Ｘ線撮影装置７１と赤外光などのケーブルレス手段で繋がれていることは明らかである。
　また、上記記載事項（エ）、（オ）、（カ）を参酌すれば、カートユニット６における表示付き入力装置１９の操作によって、大容量記憶装置３への画像データの記憶や該大容量記憶装置３からの画像データの読み出しを行うための信号が、上記操作に基づく赤外光などのケーブルレス手段にてデータ伝送装置１２ａを経てホストコンピューター５に送信され、該ホストコンピュター５による上記操作に対応した動作が実行されていることは明らかであり、これと同様に、上記入力装置１９の操作に伴う信号により、必要に応じて画像データやカルテデータなどの異なるデータを各々ディスプレイ１８へ表示すること、すなわち、ディスプレイ１８の切り替えに係る動作が実行されていることも自明であるといえる。
　そして、図２をみると、表示付き入力装置１９の上面に複数のスイッチ或いはボタン状のものが図示されており、上記記載事項（オ）の「カートユニット６における表示付き入力装置１９を操作することにより、ホストコンピュター５に格納してある過去の口腔内観察画像や治療データ及び治療作業に必要な諸条件を設定するデータなどの歯科診療用各種データをデータ伝送装置１２ａ，１２ｂを介してホストコンピュター５から小型コンピューター１６に読み込み、これをディスプレイ１８上に表示することもできる。」との記載や、上記記載事項（カ）の「ホストコンピュター５に格納された過去の口腔内観察画像やカルテデータ等は、歯科診療用のカートユニット６の入力装置１９を操作することによりカートユニット６に呼び出し、これらのデータをディスプレイ１８に表示することができる。」との記載を併せてみれば、該入力装置１９が、上記各信号の送信に係る何らかの操作部材を具備していることは明らかといえる。
　
　上記記載事項及び図示内容を総合し、本願発明の記載ぶりに倣って整理すると、引用例には次の発明（以下、「引用発明」という。）が記載されているものと認められる。
「歯科診療に関する各種データのデータ管理を行う大容量記憶装置３と、
　歯科診療室にある口腔内観察用ＣＣＤカメラ２１を保持する任意台数のカートユニット６及びＸ線撮影室７０内にあるＸ線撮影装置７１と、
　前記大容量記憶装置３と信号伝達手段により繋がれ、前記Ｘ線撮影装置７１と赤外光などのケーブルレス手段により繋がれるとともに、データ伝送装置１２ａを備えたホストコンピュター５と、
　前記大容量記憶装置３への画像データの記憶、大容量記憶装置３からの画像データの読み出し、ディスプレイ１８の切り替えのための信号を操作部材の操作に基づく赤外光などのケーブルレス手段にて前記データ伝送装置１２ａを経てホストコンピュター５に送信し、ホストコンピュター５による操作部材の操作に対応した動作を実行させるカートユニット６と、
　を有する歯科診療システム。」
　
３．対比
　本願発明と引用発明とを対比すると、後者の「大容量記憶装置３」は、その機能または構成からみて、前者の「ファイル装置」に相当し、以下同様に、「口腔内観察用ＣＣＤカメラ２１」は「撮像装置」に、「カートユニット６」は「歯科治療装置」或いは「遠隔操作手段」に、「Ｘ線撮影室７０」は「レントゲン室」に、「Ｘ線撮影装置７１」は「歯科用レントゲン装置」に、「データ伝送装置１２ａ」は「ワイヤレス受信機」に、「ホストコンピュター５は「入出力制御回路」に、「ディスプレイ１８」は「ビデオモニター」に、「赤外光などのケーブルレス手段」は「光通信又は無線通信」に、それぞれ相当する。
　したがって、上述の対比事項を踏まえれば、後者の「歯科診療室にある口腔内観察用ＣＣＤカメラ２１を保持する任意台数のカートユニット６」、「Ｘ線撮影室７０内にあるＸ線撮影装置７１」は、それぞれ、前者の「歯科診療室にある撮像装置、複数のビデオモニター、咬合圧測定器、歯髄診断機等を備えた任意台数の歯科治療装置」、「レントゲン室にある歯科用レントゲン装置、デジタルラジオグラフィー装置等からなる歯科治療関連機器」に相当するといえる。
　また、後者において「大容量記憶装置３と信号伝達手段により繋がれ」ることと、前者において「ファイル装置と」「信号ラインにより接続される」ことは、「ファイル装置と信号伝達手段により繋がれる」という点で一致し、同様に、後者において「Ｘ線撮影装置７１と赤外光などのケーブルレス手段により繋がれる」ことと、前者において「歯科治療関連機器と」「信号ラインにより接続される」ことは、「歯科治療関連機器と通信手段により繋がれる」という概念で共通している。
　そして、後者の「操作部材の操作」と前者の「複数のスイッチ操作」は、いずれも「操作部材の操作」である点で変わるところはない。
　
　したがって、両者は次の点で一致する。
 「歯科診療に関する各種データのデータ管理を行うファイル装置と、
　歯科診療室にある撮像装置、複数のビデオモニター、咬合圧測定器、歯髄診断機等を備えた任意台数の歯科治療装置及びレントゲン室にある歯科用レントゲン装置、デジタルラジオグラフィー装置等からなる歯科治療関連機器と、
　前記ファイル装置と信号伝達手段により繋がれ、歯科治療関連機器と通信手段により繋がれるとともに、ワイヤレス受信機を備えた入出力制御回路と、
　前記ファイル装置への画像データの記憶、ファイル装置からの画像データの読み出し、ビデオモニターの切り替えのための信号を操作部材の操作に基づく光通信又は無線通信にて前記ワイヤレス受信機を経て入出力制御回路に送信し、入出力制御回路による操作部材の操作に対応した動作を実行させる遠隔操作手段と、
　を有する歯科診療システム。」
　
　そして、両者は次の点で相違する。
（相違点１）
　本願発明では、ファイル装置と入出力制御回路とを繋ぐ信号伝達手段、歯科治療関連機器と入出力制御回路とを繋ぐ通信手段のいずれもが信号ラインであるのに対し、引用発明では、上記信号伝達手段は信号ラインであるか否か不明であり、上記通信手段は赤外光などのケーブルレス手段である点。
（相違点２）
　入出力制御回路に送信される信号の一つとして、本願発明では、読み出した画像データの静止データ変換のための信号が含まれるのに対し、引用発明では、そのような信号が含まれるか否か不明である点。
（相違点３）
　操作部材の操作が、本願発明では、複数のスイッチ操作であるのに対し、引用発明では、そのようなものであるか否か不明である点。
　
４．判断
　上記相違点について検討する。
（相違点１）について
　歯科診療室内の所定の装置どうしを信号ラインで接続してデータ等の通信を行うことは、例えば、上記引用例（上記記載事項（イ）等を参照）などにも開示されるように従来周知の技術であるから、該技術を、引用発明における信号伝達手段に適用したり赤外光などのケーブルレス手段に代えて採用することは、当業者であれば容易に想到し得ることであり、その際に、具体的にどの装置どうしを信号ラインで接続するかは、そこで通信されるデータ等の種類や容量、システム全体における各装置の配置などを勘案し、当業者が必要に応じて適宜決定し得る設計的事項にすぎないというべきである。
（相違点２）について
　一般に、画像表示を伴う装置において、動画等の画像を一時停止し、静止画像がモニター等に表示されるような動作を行うこと、すなわち、記憶装置等から読み出した画像データを静止データに変換するための信号を発信させることは、例示するまでもなく周知の技術にすぎず、該周知の技術を引用発明にも適用して上記相違点２に係る本願発明の発明特定事項とすることは、当業者であれば容易に想到し得ることである。
（相違点３）について
　引用発明も、ファイル装置への画像データの記憶、ファイル装置からの画像データの読み出し、ビデオモニターの切り替えなど複数の動作のための信号を操作部材の操作により送信するものであり、また、制御装置一般において、操作部材の操作によって異なる複数の操作を実行させるにあたり、それら各操作にそれぞれ対応する複数のスイッチを設けることは、例示するまでもなく周知の技術であるから、該技術を引用発明においても採用して上記相違点３に係る本願発明の発明特定事項とすることは、当業者であれば容易に想到し得ることである。
　
　そして、本願発明が奏する効果も、引用発明及び上記周知技術から当業者が予測し得る範囲のものであって、格別なものということはできない。
　
５．むすび
　したがって、本願発明は、引用発明及び上記周知技術に基いて当業者が容易に発明をすることができたものであるから、特許法第２９条第２項の規定により特許を受けることができない。
　
　よって、結論のとおり審決する。